(57)【要約】【課題】キー配置の自由度が高いとともに良好なデザイン性と組立性が得られる携帯端末を提供する。【解決手段】携帯端末１０は、筐体１１の内外を連通する第１連通孔４１および第２連通孔４２と、第１連通孔および第２連通孔から筐体の外側に突出する第１キー３５および第２キー３６と、筐体の内面１１Ｇに貼付されて第１キーの基端部３５Ａおよび第２キーの基端部３６Ａを覆うキーシート３３と、筐体に収容されるシャーシ１３と、シャーシに設けられた支持面１５Ａに支持されるＦＰＣ２４と、ＦＰＣにおける第１キーおよび第２キーに対応する位置に実装された第１キースイッチ２６、第２キースイッチ２７および第３キースイッチ２８とを備えている。【選択図】図２
2013168890.tif 000002
【特許請求の範囲】
【請求項１】
筐体と、
前記筐体の内外を連通する連通孔と、
前記連通孔から前記筐体の外側に突出するキーと、
前記筐体の内面に貼付され、前記キーの基端部を覆うキーシートと、
前記筐体に収容されるシャーシと、
前記シャーシに設けられた支持面に支持される回路基板と、
前記回路基板における前記キーに対応する位置に実装されたキースイッチと、を備える携帯端末。
【請求項２】
請求項１に記載の携帯端末において、
前記キーシートに設けられたリブを有し、
前記リブが、前記支持面に隣接する受面に当接する携帯端末。
【請求項３】
請求項１または請求項２に記載の携帯端末において、
前記回路基板の実装面に設けられ、前記キースイッチを囲む枠状のスペーサを有する携帯端末。
【発明の詳細な説明】
【技術分野】
【０００１】
本発明は、筐体の内外を連通する連通孔から筐体の外側にキーが突出され、筐体の内部においてキーに対応する位置にキースイッチが設けられた携帯端末に関する。
【背景技術】
【０００２】
携帯端末は、筐体が上筐体および下筐体を組み合わせて形成され、上筐体および下筐体が組み合わされた境界線が筐体の側面に形成されている。
筐体の側面には、上筐体および下筐体に挟み込まれたスイッチ（以下、キーという）が設けられている（特許文献１）。
このように、上筐体および下筐体にキーを挟み込むためには、上筐体および下筐体に溝が形成され、溝にキーが収容される。
【先行技術文献】
【特許文献】
【０００３】
【特許文献１】特開２００８−８５１４０号公報（段落００１４、図２）
【発明の概要】
【発明が解決しようとする課題】
【０００４】
しかし、特許文献１の携帯端末は、上筐体および下筐体の溝にキーが収容されるために、キーの配置箇所が境界線に沿った位置に限定され、携帯端末のデザイン性に制約がある。
さらに、特許文献１の携帯端末は、上筐体および下筐体を組み付ける際に、上筐体および下筐体の溝にキーを収容する手間がかかり、上筐体および下筐体の組付性が悪い。
【０００５】
また、特許文献１の携帯端末は、キーシートを筐体の裏側から両面テープ等で貼付しようすると、キーシートを押すとキーシートが筐体の裏側から剥がれる方向に押圧が加わり、キーシートが筐体の裏側から剥がれる恐れがある。
また、防水構造で、筐体に組み付けする形状ではパッキンに厚みが必要となり、側面部において組み付け部の厚みが増してしまい、薄型化しにくい問題がある。
【０００６】
本発明は、前述した課題を解決するためになされたものであり、その目的は、キー配置の自由度が高いとともに良好なデザイン性と組立性が得られる薄型、かつ、防水性が得られる携帯端末を提供することにある。
【課題を解決するための手段】
【０００７】
本発明の携帯端末は、筐体と、前記筐体の内外を連通する連通孔と、前記連通孔から前記筐体の外側に突出するキーと、前記筐体の内面に貼付され、前記キーの基端部を覆うキーシートと、前記筐体に収容されるシャーシと、前記シャーシに設けられた支持面に支持される回路基板と、前記回路基板における前記キーに対応する位置に実装されたキースイッチと、を備える。
【０００８】
筐体の連通孔から筐体の外側にキーを突出させ、キーに対応する位置にキースイッチを配置した。このキースイッチは回路基板に実装され、回路基板が筐体内のシャーシに支持されている。このように、筐体側にキーを配置し、シャーシにキースイッチを配置した。
よって、筐体にシャーシを収容する際に、シャーシのキースイッチを筐体側のキーに接触させることができる。
これにより、従来のように、上筐体および下筐体の境界線にキーを配置する必要がないので、キーを配置する箇所の制約を緩和できる。
【０００９】
さらに、筐体にシャーシを収容することにより、シャーシのキースイッチを筐体側のキーに接触させることができるので、キーやキースイッチを手間をかけないで容易に組み付けることができる。
【００１０】
本発明の携帯端末は、前記キーシートに設けられたリブを有し、前記リブが、前記支持面に隣接する受面に当接する。
本発明の携帯端末は、キーシートには防水を実現するための両面テープが接着されており、筐体内部で斜め方向に形成されることで筐体のデザインに即した、防水キー構造を実現する。
【００１１】
筐体の内面に貼り付けたキーシートにリブを設け、リブを受面に当接するようにした。
これにより、キーが過剰に押された場合でも、キーシートが筐体の内面から大きく離れることをリブ（具体的には、受面）で抑えることができるので、筐体の内面からキーシートを剥離し難くできる。
【００１２】
本発明の携帯端末は、前記回路基板の実装面に設けられ、前記キースイッチを囲む枠状のスペーサを有する。
【００１３】
ここで、回路基板を支持面から引き出すために、支持面に隣接する受面に切欠が必要とされる。しかし、受面に切欠を形成すると回路基板やキースイッチの防水性を確保し難い。
そこで、回路基板の実装面に枠状のスペーサを設け、スペーサでキースイッチを囲むようにした。これにより、枠状のスペーサにキーシート（具体的にはリブ）を圧接させることにより防水性を確保できる。
【発明の効果】
【００１４】
本発明の携帯端末によれば、筐体側にキーを配置し、シャーシにキースイッチを配置し、筐体にシャーシを収容する際に、シャーシのキースイッチを筐体側のキーに接触させるようにした。
これにより、従来のように、上筐体および下筐体の境界線にキーを配置する必要がないので、キーを配置する箇所の制約がなく、キー配置の自由度を高め、携帯端末の良好なデザイン性が得られる。
【００１５】
さらに、筐体にシャーシを収容することにより、シャーシのキースイッチを筐体側のキーに接触させることができるので、キーやキースイッチを手間をかけないで容易に組み付けることができる。
これにより、携帯端末を組み付ける際に、キーおよびキースイッチの良好な組立性が得られる。
【図面の簡単な説明】
【００１６】
【図１】本発明に係る携帯端末を裏面側から見た状態を示す分解斜視図
【図２】本発明に係る携帯端末の要部を示す断面図
【図３】図１の筐体および第１キー、第２キーの関係を説明する断面図
【図４】本発明に係る携帯端末の要部を示す分解斜視図
【図５】図４のＩ部拡大図
【図６】図２の筐体およびシャーシを分解した状態を示す断面図
【図７】図１の筐体を裏面側から見た状態を示す斜視図
【図８】図７のＩＩ部拡大図
【発明を実施するための形態】
【００１７】
以下、本発明の実施形態に係る携帯端末について図面を参照して説明する。
図１に示すように、携帯端末１０は、矩形箱状の筐体１１と、筐体１１の開口部１２（図２も参照）側から収容されたシャーシ１３と、シャーシ１３の裏面１３Ａ（図２も参照）に沿って配置された回路基板１６とを備えている。
回路基板１６にカメラ１７および電池パック１８が接続されている。
また、携帯端末１０は、図２に示すように、シャーシ１３の表面１３Ｂに沿って配置された表示装置２１と、表示装置２１に開口部１２側から重ねられた保護カバー２２とを備えている。
【００１８】
さらに、携帯端末１０は、シャーシ１３に支持されたフレキシブルプリント基板（回路基板）２４と、フレキシブルプリント基板２４に実装されたキースイッチとしての第１キースイッチ２６、第２キースイッチ２７および第３キースイッチ２８とを備えている。
以下、フレキシブルプリント基板を「ＦＰＣ」と略記する。第２キースイッチ２７および第３キースイッチ２８は図５に示す。
加えて、携帯端末１０は、ＦＰＣ２４の実装面２４Ａに設けられた枠状のスペーサ３１と、枠状のスペーサ３１に圧接可能なキーシート３３と、キーシート３３を押圧可能に筐体１１に設けられた第１キー（キー）３５および第２キー（キー）３６とを備えている。
【００１９】
図１に示すように、筐体１１は、略矩形状に形成された底部１１Ａと、底部１１Ａから立ち上げられた壁部１１Ｂと、壁部１１Ｂのうち底部１１Ａと反対側の端部に形成された開口部１２とを有し、全体に略矩形箱状に形成されている。
この筐体１１は、底部１１Ａの中央に平坦部１１Ｃが設けられ、平坦部１１Ｃの両側部１１Ｄに傾斜部１１Ｅが設けられている。平坦部１１Ｃの上端近傍にカメラ１７を露出させる開口３８が形成されている。
さらに、一方の傾斜部１１Ｅのうち、開口３８に対応する部位１１Ｆに形成された第１連通孔（連通孔）４１および第２連通孔（連通孔）４２が形成されている。
【００２０】
第１連通孔４１および第２連通孔４２は、筐体１１の内部４４（図２参照）および外部４５を連通する孔である。
第１連通孔４１から第１キー３５が筐体１１の外側に突出されている。
第１キー３５は、一例として、電源のオン、オフを切り替え可能なメインスイッチ用のキーである。
第１キー３５は、図２に示すように、基端部３５Ａの近傍から張り出された鍔部３５Ｂと、筐体１１の外側に突出された操作部３５Ｃとを有する。
鍔部３５Ｂが筐体１１の内面１１Ｇに当接された状態で、操作部３５Ｃが第１連通孔４１を経て筐体１１の外部に突出されている。
【００２１】
第２連通孔４２から第２キー３６が筐体１１の外側に突出されている。
図１に示す第２キー３６は、一例として、カメラ１７（図１参照）のズームと音のボリューム等を調整可能なシーソー式のキーである。
第２キー３６は、図３に示すように、基端部３６Ａの近傍から張り出された鍔部３６Ｂと、筐体１１の外側に突出された操作部３６Ｃとを有する。
この第２キー３６は、図示しないが第１キー３５と同様に、鍔部３６Ｂが筐体１１の内面１１Ｇに当接された状態で、操作部３６Ｃが第２連通孔４２を経て筐体１１の外部に突出されている。
【００２２】
ここで、第１キー３５および第２キー３６が筐体１１の外側に突出された状態において、第１キー３５の操作部３５Ｃが第２キー３６の操作部３６ＣよりＨ寸法だけ低い位置に位置する。
これにより、第１キー３５（すなわち、メインスイッチ用のキー）が不用意に操作されることを抑えて電源が不意にオンに切り替わり難くしている。
【００２３】
図２に示すように、第１キー３５の基端部３５Ａおよび第２キー３６の基端部３６Ａ（図５参照）がキーシート３３で覆われている。
図４、図５に示すように、キーシート３３は、第１キー３５の基端部３５Ａおよび第２キー３６の基端部３６Ａを覆うように略長方形状に形成され、筐体１１の内面１１Ｇ（図２参照）に枠状の両面テープ４７で貼り付けされている。
両面テープ４７は、キーシート３３の外周のみを筐体１１の内面１１Ｇに貼り付けるように、キーシート３３の外周に沿って枠状に形成されている。
【００２４】
キーシート３３は、第１キースイッチ２６、第２キースイッチ２７および第３キースイッチ２８に対向可能なシート本体５１と、シート本体５１を補強する補強枠状部材５２と、シート本体５１を保護する保護シート５３とを有する。
【００２５】
シート本体５１は、略長方形状に形成され、第１キー３５および第２キー３６に表面５１Ａが対向され、第１キースイッチ２６、第２キースイッチ２７および第３キースイッチ２８に裏面５１Ｂが対向されている。
図５、図６に示すように、シート本体５１の表面５１Ａに、第１キー３５および第２キー３６に向けて高く段部５４が形成されている。
段部５４の周囲に枠状の補強枠状部材５２が設けられることにより、補強枠状部材５２でシート本体５１が補強されている。
さらに、段部５４の周囲に枠状の補強枠状部材５２が設けられることにより、段部５４および枠状の補強枠状部材５２が面一の状態になり、面一の状態の段部５４および補強枠状部材５２に保護シート５３が覆われている。
【００２６】
保護シート５３は、枠状の両面テープ４７によって、筐体１１の内面１１Ｇに貼り付けられる。シャーシ１３の支持面１５Ａ上に設けられたＦＰＣ２４には、第１キースイッチ２６、第２キースイッチ２７および第３キースイッチ２８を囲むように枠状のスペーサ３１が両面テープ６７を介して貼り付けられている。
シャーシ１３が筐体１１に取り付けられると、このスペーサ３１が、枠状の両面テープ４７をシート本体５１を介して押圧することで、第１キー３５および第２キー３６を筐体１１の内面１１Ｇに貼り付けた場合でも、第１キー３５および第２キー３６を押しても剥がれにくく、防水効果が得られる。
なお、このスペーサ３１は、シート本体５１側に設けてもよい。
【００２７】
また、図７、図８に示すように、シート本体５１の裏面５１Ｂには、第１凸部５６、第２凸部５７および第３凸部５８と、第１凸部５６、第２凸部５７および第３凸部５８を覆う外枠リブ（リブ）６１と、外枠リブ６１内に設けられた中間リブ（リブ）６２とが形成されている。
第１凸部５６は第１キースイッチ２６（図５参照）に対応する位置に設けられ、第２凸部５７は第２キースイッチ２７（図５参照）に対応する位置に設けられている。また、第３凸部５８は第３キースイッチ２８（図５参照）に対応する位置に設けられている。
【００２８】
外枠リブ６１は、シート本体５１の裏面５１Ｂにおいて、シート本体５１の外枠に沿って略長方形の枠状に形成されることにより、第１凸部５６、第２凸部５７および第３凸部５８を囲うように設けられている。
この外枠リブ６１は、筐体１１の壁部１１Ｂに沿って設けられた第１外枠リブ６１Ａと、筐体１１の平坦部１１Ｃに沿って設けられた第２外枠リブ６１Ｂと、第１外枠リブ６１Ａおよび第２外枠リブ６１Ｂに亘って設けられた第３外枠リブ６１Ｃとを有する。
【００２９】
第１外枠リブ６１Ａおよび第２外枠リブ６１Ｂにはスリット６４が所定間隔をおいて設けられている。
第１外枠リブ６１Ａおよび第２外枠リブ６１Ｂにスリット６４を設けることにより、第１キー３５および第２キー３６でキーシート３３を押圧した際に、第１外枠リブ６１Ａおよび第２外枠リブ６１Ｂを好適に変形させることが可能である。
【００３０】
中間リブ６２は、第１凸部５６および第２凸部５７間に配置され、かつ、第２凸部５７および第３凸部５８間に配置されている。
【００３１】
図４、図５に示すように、第１キースイッチ２６、第２キースイッチ２７および第３キースイッチ２８がシャーシ１３に設けられている。
図６に示すように、シャーシ１３は、筐体１１の開口部１２側から筐体１１の内部４４に収容され、板金部１４と、板金部１４に一体にインサート成形された樹脂部１５とを備えている。
【００３２】
樹脂部１５は、ＦＰＣ２４を支持する支持面１５Ａと、支持面１５Ａに隣接して設けられた支持面段部１５Ｂと、支持面段部１５Ｂに隣接する受面１５Ｃと、ＦＰＣ２４を引き出すための切欠１５Ｄ（図５参照）とを有する。
【００３３】
支持面１５Ａは、筐体１１の一方の傾斜部１１Ｅに沿うように傾斜状に形成されている。
支持面段部１５Ｂは、一方の傾斜部１１Ｅに設けられたＦＰＣ２４と面一の高さに形成されている。
受面１５Ｃは、支持面１５Ａに隣接する面であり、支持面段部１５Ｂに設けられたスペーサ３１と面一の高さに形成されている。
この受面１５Ｃは、キーシート３３の外枠リブ６１（第１外枠リブ６１Ａ）に対応する位置に配置されている。
【００３４】
支持面１５Ａに両面テープ６６を介してＦＰＣ２４が支持されている。ＦＰＣ２４は、樹脂部１５の切欠１５Ｄ（図５参照）を経て支持面１５Ａから支持面１５Ａの外部に引き出されている。
さらに、図５に示すように、ＦＰＣ２４の実装面２４Ａに第１キースイッチ２６、第２キースイッチ２７および第３キースイッチ２８が実装されている。
第１キースイッチ２６は、第１キー３５に対応する位置に配置されている。第２キースイッチ２７および第３キースイッチ２８は、第２キー３６に対応する位置に配置されている。
【００３５】
図６に示すように、ＦＰＣ２４の実装面２４Ａに枠状のスペーサ３１が両面テープ６７を介して設けられている。
図５に示すように、枠状のスペーサ３１は、第１キースイッチ２６、第２キースイッチ２７および第３キースイッチ２８を囲むように形成された枠状の外枠スペーサ７１と、外枠スペーサ７１内に所定間隔をおいて設けられた中間スペーサ７２とを有する。
【００３６】
枠状のスペーサ３１で第１空間７３、第２空間７４および第３空間７５が形成されている。第１空間７３に第１キースイッチ２６が収容され、第２空間７４に第２キースイッチ２７が収容されている。第３空間７５に第３キースイッチ２８が収容されている。
さらに、ＦＰＣ２４の実装面２４Ａに枠状のスペーサ３１を両面テープ６７を介して設けることにより、樹脂部１５の切欠１５Ｄを枠状のスペーサ３１（具体的には、外枠スペーサ７１）で覆うことができる。
【００３７】
外枠スペーサ７１は、キーシート３３の外枠リブ６１（図８参照）に対応する位置に配置されている。
中間スペーサ７２は、キーシート３３の中間リブ６２（図８参照）に対応する位置に配置されている。
【００３８】
以上説明したように、図３に示すように、筐体１１の第１連通孔４１から筐体１１の外側に第１キー３５を突出させ、筐体１１の第２連通孔４２から筐体１１の外側に第２キー３６を突出させた。
さらに、図５に示すように、第１キー３５および第２キー３６に対応する位置に第１キースイッチ２６、第２キースイッチ２７および第３キースイッチ２８を配置した。
【００３９】
第１キースイッチ２６、第２キースイッチ２７および第３キースイッチ２８はＦＰＣ２４に実装され、ＦＰＣ２４が筐体１１内のシャーシ１３に支持されている。
このように、筐体１１側に第１キー３５および第２キー３６を配置し、シャーシ１３に第１キースイッチ２６、第２キースイッチ２７および第３キースイッチ２８を配置した。
【００４０】
よって、筐体１１にシャーシ１３を収容する際に、シャーシ１３の第１キースイッチ２６、第２キースイッチ２７および第３キースイッチ２８を筐体１１側の第１キー３５および第２キー３６に接触させることができる。
これにより、従来のように、上筐体および下筐体の境界線に第１キー３５および第２キー３６を配置する必要がない。
従って、第１キー３５および第２キー３６を配置する箇所の制約がなく、第１キー３５および第２キー３６配置の自由度を高め、携帯端末１０の良好なデザイン性が得られる。
【００４１】
このように、筐体１１にシャーシ１３を収容することにより、シャーシ１３の第１キースイッチ２６、第２キースイッチ２７および第３キースイッチ２８を筐体１１側の第１キー３５および第２キー３６に接触させることができる。
これにより、第１キースイッチ２６、第２キースイッチ２７および第３キースイッチ２８や第１キー３５および第２キー３６を手間をかけないで容易に組み付けることができるので、携帯端末１０の良好な組立性が得られる。
【００４２】
また、図２に示すように、受面１５Ｃおよびスペーサ３１（具体的には、外枠スペーサ７１）に外枠リブ６１（第１外枠リブ６１Ａ、第２外枠リブ６１Ｂ）が当接可能に設けられている。
よって、第１キー３５、第２キー３６が筐体１１内に過剰に押された場合でも、キーシート３３が筐体１１の内面１１Ｇから大きく離れることを受面１５Ｃや外枠スペーサ７１で抑えることができる。
これにより、第１キー３５、第２キー３６が過剰に押された場合でも、筐体１１の内面１１Ｇからキーシート３３を剥離し難くできる。
【００４３】
さらに、図５に示すように、ＦＰＣ２４の実装面２４Ａに枠状のスペーサ３１を設け、スペーサ３１で第１キースイッチ２６、第２キースイッチ２７および第３キースイッチ２８を囲むようにした。
また、樹脂部１５の切欠１５Ｄを枠状のスペーサ３１（具体的には、外枠スペーサ７１）で覆うようにした。
加えて、外枠スペーサ７１を外枠リブ６１（図８参照）に対応する位置に配置し、中間スペーサ７２を中間リブ６２（図８参照）に対応する位置に配置した。
これにより、図２に示すように、枠状のスペーサ３１に外枠リブ６１および中間リブ６２を圧接させることにより防水性を確保できる。
【００４４】
なお、本発明に係る携帯端末は、前述した実施形態に限定されるものではなく適宜変更、改良等が可能である。
例えば、前記実施形態では、本発明を携帯端末１０に適用させた例について説明したが、これに限らないで、その他の電子機器に本発明を適用させることも可能である。
【００４５】
また、前記実施形態では、回路基板としてフレキシブルプリント基板（回路基板）２４を例示したが、これに限定するものではなく、通常の回路基板を適用することも可能である。
【００４６】
さらに、前記実施形態では、キースイッチとして第１キースイッチ２６、第２キースイッチ２７および第３キースイッチ２８を例示し、キーとして第１キー３５および第２キー３６を例示したが、キースイッチやキーの個数は任意に選択可能である。
【００４７】
また、前記実施形態で使用した携帯端末、筐体、シャーシ、ＦＰＣ、第１キースイッチ、第２キースイッチ、第３キースイッチ、スペーサ、キーシート、第１キー、第２キー、第１連通孔、第２連通孔、外枠リブおよび中間リブ等の形状や構成は例示したものに限定するものではなく適宜変更が可能である。
【産業上の利用可能性】
【００４８】
本発明は、筐体の内外が連通孔で連通され、連通孔から筐体の外側にキーが突出され、キーに対応するようにキースイッチが筐体の内部に設けられた携帯端末への適用に好適である。
【符号の説明】
【００４９】
１０  携帯端末
１１  筐体
１１Ｇ  筐体の内面
１３  シャーシ
１５Ａ  支持面
１５Ｃ  受面
２４  ＦＰＣ（フレキシブルプリント基板：回路基板）
２４Ａ  実装面
２６  第１キースイッチ（キースイッチ）
２７  第２キースイッチ（キースイッチ）
２８  第３キースイッチ（キースイッチ）
３１  スペーサ
３３  キーシート
３５  第１キー（キー）
３５Ａ  第１キーの基端部
３６  第２キー（キー）
３６Ａ  第２キーの基端部
４１  第１連通孔（連通孔）
４２  第２連通孔（連通孔）
４４  筐体の内部
４５  筐体の外部
６１  外枠リブ（リブ）
６２  中間リブ（リブ）
【図１】
2013168890.tif 000003
【図２】
2013168890.tif 000004
【図３】
2013168890.tif 000005
【図４】
2013168890.tif 000006
【図５】
2013168890.tif 000007
【図６】
2013168890.tif 000008
【図７】
2013168890.tif 000009
【図８】
2013168890.tif 000010